(57)【要約】  電気モータ（１０）は、軸受（２６）を有する回転子アセンブリ（１２）と、軸受台座（４４）を有するフレーム（１４）とを有する。軸受（２６）は、軸受台座（４４）内に受け入れられる。軸受（２６）は、軸受（２６）と軸受台座（４４）の間に定められた隠れた界面に位置付けられた第１の接着剤によって軸受台座（４４）に固定される。軸受台座（４４）は、切欠き部（５０）を有し、軸受（２６）の一部分は、切欠き部（５０）を通して露出される。軸受（２６）は、切欠き部（５０）に位置付けられた第２の接着剤によって軸受台座（４４）に固定される。【選択図】図４
2021515522.tif 000002
【特許請求の範囲】
【請求項１】
軸受を有する回転子アセンブリと軸受台座を有するフレームとを含む電気モータであって、
前記軸受は、前記軸受台座内に受け入れられ、該軸受は、該軸受と該軸受台座の間に定められた隠れた界面に位置付けられた第１の接着剤によって該軸受台座に固定され、該軸受台座は、切欠き部を含み、該軸受の一部分が、該切欠き部を通して露出され、該軸受は、該切欠き部に位置付けられた第２の接着剤によって該軸受台座に固定される、
ことを特徴とする電気モータ。
【請求項２】
前記軸受台座は、前記第１の接着剤がそれを通して注入される開口を含むことを特徴とする請求項１に記載の電気モータ。
【請求項３】
前記開口は、前記切欠き部から離間していることを特徴とする請求項２に記載の電気モータ。
【請求項４】
前記軸受及び／又は前記軸受台座は、第１の環状溝を含み、該第１の環状溝は、前記隠れた界面の少なくとも一部分を定め、前記第１の接着剤は、該第１の環状溝に位置付けられることを特徴とする請求項１から請求項３のいずれか１項に記載の電気モータ。
【請求項５】
前記軸受は、第２の溝を含み、該第２の溝の少なくとも一部分が、前記切欠き部を通して露出されることを特徴とする請求項４に記載の電気モータ。
【請求項６】
前記切欠き部は、前記軸受の全湾曲表面積の２０％よりも多くを露出しないことを特徴とする請求項１から請求項５のいずれか１項に記載の電気モータ。
【請求項７】
前記軸受台座の少なくとも一部分が、前記軸受の湾曲面の周りに３６０°にわたって延びることを特徴とする請求項１から請求項６のいずれか１項に記載の電気モータ。
【請求項８】
前記第１の接着剤は、前記第２の接着剤とは異なる接着剤を含むことを特徴とする請求項１から請求項７のいずれか１項に記載の電気モータ。
【請求項９】
前記第２の接着剤は、前記第１の接着剤よりも短い硬化時間を有する接着剤を含むことを特徴とする請求項１から請求項８のいずれか１項に記載の電気モータ。
【請求項１０】
前記第１の接着剤は、熱硬化接着剤を含むことを特徴とする請求項１から請求項９のいずれか１項に記載の電気モータ。
【請求項１１】
前記第２の接着剤は、ＵＶ硬化接着剤を含むことを特徴とする請求項１から請求項１０のいずれか１項に記載の電気モータ。
【請求項１２】
電気モータのフレームに回転子アセンブリを装着する方法であって、
軸受を有する回転子アセンブリを与える段階と、
切欠き部を含む軸受台座を有するフレームを与える段階と、
隠れた界面が前記軸受と前記軸受台座の間に定められ、かつ該軸受の一部分が前記切欠き部を通して露出されるように該軸受台座内に該軸受を位置付ける段階と、
前記隠れた界面に第１の接着剤を付加する段階と、
前記切欠き部を通して露出された前記軸受の前記部分に第２の接着剤を付加する段階と、
前記第２の接着剤を硬化する段階と、
続けて前記第１の接着剤を硬化する段階と、
を含むことを特徴とする方法。
【請求項１３】
前記軸受台座は、開口を含み、前記第１の接着剤を付加する段階は、該開口を通して該第１の接着剤を前記隠れた界面に注入する段階を含むことを特徴とする請求項１２に記載の方法。
【請求項１４】
前記軸受及び／又は前記軸受台座は、第１の環状溝を含み、前記第１の接着剤を付加する段階は、該第１の接着剤を該第１の環状溝に付加する段階を含むことを特徴とする請求項１２又は請求項１３に記載の方法。
【請求項１５】
前記第１及び第２の接着剤は、異なる硬化処理を使用して硬化されることを特徴とする請求項１２から請求項１４のいずれか１項に記載の方法。
【請求項１６】
前記第１の接着剤を硬化する段階は、熱硬化処理を使用する段階を含むことを特徴とする請求項１２から請求項１５のいずれか１項に記載の方法。
【請求項１７】
前記第２の接着剤を硬化する段階は、ＵＶ硬化処理を使用する段階を含むことを特徴とする請求項１２から請求項１６のいずれか１項に記載の方法。
【請求項１８】
前記軸受は、第２の溝を含み、該第２の溝の少なくとも一部分が、前記切欠き部を通して露出され、前記第２の接着剤を付加する段階は、該第２の接着剤を該第２の溝に付加する段階を含むことを特徴とする請求項１２から請求項１７のいずれか１項に記載の方法。
【請求項１９】
前記第２の接着剤を付加する段階の前にかつ前記第１の接着剤を付加する段階に続けて前記軸受と前記軸受台座の間の相対移動に影響を及ぼす段階を含むことを特徴とする請求項１２から請求項１８のいずれか１項に記載の方法。
【発明の詳細な説明】
【技術分野】
【０００１】
本発明は、電気モータと、電気モータのフレームに回転子アセンブリを装着する方法とに関する。
【背景技術】
【０００２】
ブラシレス電気モータのような電気機械をいくつかの方法で改善する一般的な要望が存在する。特に、サイズ、重量、製造コスト、効率、信頼性、及びノイズに関する改善が望ましいと考えられる。
【発明の概要】
【課題を解決するための手段】
【０００３】
本発明の第１の態様により、軸受を有する回転子アセンブリと軸受台座を有するフレームとを含む電気モータを提供し、軸受は、軸受台座内に受け入れられ、軸受は、軸受と軸受台座の間に定められた隠れた界面に位置付けられた第１の接着剤によって軸受台座に固定され、軸受台座は、切欠き部を含み、軸受の一部分は、切欠き部を通して露出され、軸受は、切欠き部に位置付けられた第２の接着剤によって軸受台座に固定される。
【０００４】
本発明の第２の態様により、電気モータのフレームに回転子アセンブリを装着する方法を提供し、本方法は、軸受を有する回転子アセンブリを与える段階と、切欠き部を含む軸受台座を有するフレームを与える段階と、隠れた界面が軸受と軸受台座の間に定められ、かつ軸受の一部分が切欠き部を通して露出されるように軸受を軸受台座内に位置付ける段階と、隠れた界面に第１の接着剤を付加する段階と、切欠き部を通して露出され軸受の部分に第２の接着剤を付加する段階と、接着剤を硬化する段階と、それに続けて第１の接着剤を硬化する段階とを含む。
【０００５】
本発明の第１の態様による電気モータと、本発明の第２の態様による電気モータのフレームに回転子アセンブリを装着する方法とは、主に、軸受が、軸受と軸受台座の間に定められた隠れた界面に位置付けられた第１の接着剤によって軸受台座に固定され、軸受の一部分が、切欠き部を通して露出され、かつ軸受が、切欠き部に位置付けられた第２の接着剤によって軸受台座に固定されるので有利であると考えられる。
【０００６】
特に、隠れた界面は、軸受と軸受台座の間の比較的大きい表面積接触を定めることができ、従って、高結合強度の形成を可能にすることができるので、接着剤は、実質的に隠れた界面に位置付けることが望ましいと考えられる。しかし、隠れた界面に位置付けられた接着剤は、軸受台座によって大部分が隠される。これは、接着剤を硬化するためのある一定のタイプの硬化処理、例えば、紫外線（ＵＶ）硬化処理の使用を抑制する場合があり、その理由は、接着剤の全てにＵＶ光が到達し、従って完全に硬化することになることが全く保証されないからである。
【０００７】
従って、接着剤を硬化するための例えば熱硬化処理のような代替処理を使用することが必要である。しかし、熱硬化処理は、ＵＶ硬化処理よりも有意に長くかかる場合がある。これは、回転子アセンブリがフレームに対して定位置に確実に保持されず、かつフレームに対する回転子アセンブリの不整合が起こる場合がある窓をもたらすと考えられる。回転子アセンブリとフレームの位置合わせは、電気モータの確実な作動に必須である。
【０００８】
軸受台座内の切欠き部を通して軸受の一部分を露出することにより、第２の接着剤を付加し、限定強度結合を使用して軸受を軸受台座に迅速に固定し、それによって造形中に回転子アセンブリとフレームの不整合の機会を限定することができる。軸受の一部分が露出されるので、第２の接着剤は、付加後に可視であると考えられ、従って、第１の接着剤によって形成された主結合が硬化させられている間に、迅速硬化処理、例えばＵＶ硬化処理を使用してフレームに対する回転子アセンブリの位置を固定することができる。
【０００９】
軸受台座は、開口を含むことができ、それを通して第１の接着剤が注入され、例えば、それを通して第１の接着剤は、隠れた界面に注入することができる。第１の接着剤を付加する段階は、開口を通して軸受と軸受台座の間の隠れた界面に第１の接着剤を注入する段階を含むことができる。これは、開口が、軸受台座内の軸受の位置付け後に軸受と軸受台座の間の第１の接着剤の付加を可能にすることができるので有益であると考えられる。これは、第１の接着剤のよりきれいな付加を可能にすることができ、かつ例えば軸受台座に軸受を位置付ける前に第１の接着剤を付加することに比較して、付加中に第１の接着剤が他の構成要素を汚染するリスクを低減することができる。
【００１０】
軸受及び／又は軸受台座は、第１の環状溝を含むことができ、第１の環状溝は、例えば、隠れた界面の少なくとも一部分を定めることができる。第１の接着剤を付加する段階は、隠れた界面で第１の接着剤を第１の環状溝に付加する段階を含むことができる。これは、第１の環状溝を利用することが、第１の接着剤の付加中に軸受と軸受台座の間から第１の接着剤が非制御方式で流れ出すことになる可能性を低減することができるので有益であると考えられる。軸受と軸受台座の間の界面で第１の接着剤が非制御方式で流れることができる場合に、第１の接着剤が軸受それ自体の中に入ることができる可能性があり、これは、軸受に極度に有害であると考えられ、かつ軸受が完全に機能することを停止させる場合がある。
【００１１】
軸受は、第２の溝、例えば、第２の環状溝を含むことができ、第２の溝の少なくとも一部分は、切欠き部を通して露出することができる。本方法は、切欠き部の領域で第２の接着剤を第２の溝に及び／又は軸受台座の外面の少なくとも一部分に付加する段階を含むことができる。これは、第２の環状溝が、第２の接着剤が係合するための機械的なキーを提供することができ、それによって第２の接着剤が第１の接着剤の硬化中に回転子アセンブリとフレームの不整合を抑制するのに十分に強い結合を形成することができることを保証するので有益であると考えられる。
【００１２】
第１の接着剤は、第２の接着剤とは異なる接着剤を含むことができる。第１の接着剤は、第２の接着剤を硬化するのに使用されるものとは異なる硬化処理を使用して硬化することができる。第２の接着剤は、第１の接着剤よりも短い硬化時間を有する接着剤を含むことができる。これは、第１の接着剤が軸受と軸受台座の間の強い結合の形成を可能にすることができ、一方で第２の接着剤が迅速結合を形成して第１の接着剤のより長い硬化処理中に軸受と軸受台座の不整合を防止することができるので有益であると考えられる。
【００１３】
第１の接着剤は、熱硬化接着剤を含むことができ、かつ例えば構造用接着剤を含むことができる。第１の接着剤を硬化する段階は、熱硬化処理を使用する段階を含むことができる。これは、第１の接着剤の付加後に第１の接着剤を軸受台座によって実質的に隠すことができるので有益であると考えられる。従って、一部の硬化処理、例えばＵＶ硬化処理を使用して第１の接着剤を完全に硬化することは、接着剤にＵＶ光が到達するのが困難であると考えられるので困難である場合がある。第１の接着剤の硬化に対する熱硬化接着剤及び／又は熱硬化処理の使用は、第１の接着剤が完全に硬化されることを可能にし、それによって強くて確実な結合を提供することができる。
【００１４】
第２の接着剤は、ＵＶ硬化接着剤を含むことができる。第２の接着剤を硬化する段階は、ＵＶ硬化処理を使用する段階を含むことができる。これは、ＵＶ硬化接着剤が比較的短い硬化時間を有することができるので有益であると考えられる。これは、第１の接着剤がその硬化処理を受けている間の軸受と軸受台座の間の仮結合の形成を可能にすることができる。このようにして、回転子アセンブリとフレームの相対位置合わせは、回転子アセンブリのフレームへの装着中に維持することができる。
【００１５】
軸受は、形態が実質的に円筒形とすることができ、かつ例えば湾曲面によって離間した２つの円形平坦面を含むことができる。切欠き部によって露出された軸受の少なくとも一部分は、軸受の湾曲面の少なくとも一部分を含むことができる。軸受台座は、中空の実質的に円筒形のカラーを含むことができる。切欠き部は、軸受台座の湾曲面上に配置することができる。切欠き部は、形態が実質的に半円とすることができる。
【００１６】
切欠き部は、軸受の全湾曲表面積の２０％よりも多くを露出しないと考えられる。これは、軸受の多すぎる露出が、軸受と軸受台座の間の確実な結合の形成を抑制する場合があり、かつ電気モータの信頼性に影響を与える場合があるので有益であると考えられる。
【００１７】
軸受台座の少なくとも一部分は、軸受の湾曲面の周りに実質的に３６０°にわたって延びることができる。これは、軸受台座の少なくとも一部分が、軸受の実質的に円周全体の周りに延びることができ、かつ軸受の湾曲面の周りの接着剤の分布さえも可能にすることができ、それによって強い及び／又は均一な結合の形成を可能にするので有益であると考えられる。
【００１８】
開口は、切欠き部から離間することができ、例えば、軸受台座に沿って切欠き部から周方向に及び／又は軸線方向に離間することができる。これは、これが軸受台座の２つの潜在的な構造脆弱点を分離することができ、かつ軸受台座の構造一体性を保証することができるので有益であると考えられる。
【００１９】
本方法は、第２の接着剤を付加する段階の前に軸受と軸受台座の間の相対移動に影響を及ぼす段階を含むことができる。これは、軸受と軸受台座の間の相対移動に影響を及ぼすことにより、接着剤が軸受と軸受台座の間の界面に沿って広がり、それによって全結合表面積を増大することができ、これがより強い結合を与えることができるので有益であると考えられる。
【００２０】
更に、相対移動は、注意深く制御され、それによって接着剤が単に望ましい量だけ広がることを保証することができる。これは、界面での接着剤漏出のリスクを低減することができる。そのような漏出は、軸受に対して極度に有害であると考えられ、かつ軸受が完全に機能することを停止させる場合がある接着剤の軸受それ自体の中への進入のリスクを増大させる場合がある。
【００２１】
本発明の態様の選択的な特徴は、適切な場合に本発明の他の態様に等しく適用することができることは認識されるであろう。
【００２２】
本発明をより良く理解し、かつ本発明を達成することができる方法をより明確に示すために、ここで以下の図面を参照して本発明を一例として以下に説明する。
【図面の簡単な説明】
【００２３】
【図１】本発明の第１の態様による電気モータの前面図である。
【図２】図１の電気モータのその固定子鉄心アセンブリを除去した斜視図である。
【図３】図２の破線領域の拡大図である。
【図４】図３の回転図である。
【図５】図１の電気モータの回転子アセンブリの前面図である。
【図６】図１の電気モータのフレームの斜視図である。
【図７】図６の線Ａ−Ａに沿って取った断面図である。
【図８】図１の線Ｂ−Ｂに沿って取った断面図である。
【図９】図８の破線領域の拡大図である。
【図１０】本発明の第２の態様による回転子アセンブリを電気モータのフレームに装着する方法の第１の実施形態のブロック図である。
【図１１】本発明の第２の態様による回転子アセンブリを電気モータのフレームに装着する方法の第２の実施形態のブロック図である。
【発明を実施するための形態】
【００２４】
全体的に１０で指定する本発明による電気モータは、図１−４及び８−９に示されている。電気モータ１０は、回転子アセンブリ１２とフレーム１４を含む。回転子アセンブリ１２は、図５に個別に示し、フレーム１４は、図６及び７に個別に示している。
【００２５】
回転子アセンブリ１２は、回転子鉄心永久磁石１８がその上に装着されたシャフト１６と、第１の平衡リング２０と、第２の平衡リング２２と、回転子鉄心永久磁石１８及び平衡リング２０、２２のいずれかの側でシャフト１６上に装着された第１の軸受２４及び第２の軸受２６とを含む。羽根車２８は、シャフト１６の一端に装着され、センサ磁石３０は、他端に装着される。
【００２６】
図５に示していないが、第１の軸受２４には、その外周面上に環状溝が設けられる。Ｏリング３２は、Ｏリング３２が第１の軸受２４上の望ましい位置に留まり、かつ動き回ることにならないように環状溝内に着座している。回転子アセンブリ１２がフレーム１４内に装着された時に、第１の軸受２４は、フレーム１４内で第１の軸受台座４２の内側に着座し、かつそれにＯリング３２によって軽く装着される。
【００２７】
第２の軸受２６は、その外周面上に形成された第１の３４及び第２の３６環状溝を含む。第１の環状溝３４は、より詳細に以下に説明するように、第１の接着剤３５を位置付けることができるチャネルを提供する。同様にして、第２の環状溝３６も、仮接着剤３７を位置付けることができるチャネルを提供する。
【００２８】
フレーム１４は、例えば単一物体として成形されたワンピース構成であり、かつほぼ円筒形の主本体３８と回転子アセンブリ１２の羽根車２８を覆うための羽根車シュラウド４０とを含む。
【００２９】
主本体３８は、羽根車シュラウド４０に最も近い端部に形成された第１の軸受台座４２と、羽根車シュラウド４０から最も遠く離れた主本体３８の反対端に形成された第２の軸受台座４４とを含む。各軸受台座４２，４４は、対応する軸受２４，２６をそこに受け入れるための環状カラーを含む。４つのスロット４６が、第１の軸受台座４２及び第２の軸受台座４４の間で主本体３８に沿って長手方向に延びており、スロット４６は、主本体３８の円周の周りに均等に離間している。スロット４６は、電気モータ１０の対応する固定子鉄心アセンブリ５２を受け入れるような形状と寸法を有する。
【００３０】
第２の軸受台座４４は、開口４８及び切欠き部５０を含む。開口４８は、第２の軸受台座４４を通って延びてそれを通る接着剤チャネルを形成し、かつ適切な接着剤注入ノズルを受け入れるような形状と寸法を有する。開口４８の内径は、第２の軸受２６の第１の環状溝３４の幅に実質的に等しい。開口４８は、スロット４６のうちの１つの中心軸と実質的に位置合わせしている。
【００３１】
切欠き部５０は、スロット４６のうちの１つに最も近い第２の軸受台座４４の領域に形成され、かつ第２の軸受台座４４の中へのスロット４６のうちの１つの実質的な延長部である。図７での破線は、回転子アセンブリ１２がフレーム１４に装着された時に第２の軸受２６の最下縁が第２の軸受台座４４に関連して位置する場所を大まかに示している。すなわち、図３、４、及び７から見ることができるように、第２の軸受２６は、回転子アセンブリ１２がフレーム１４に装着された時に切欠き部５０が第２の軸受２６の第２の環状溝３６を露出するように第２の軸受台座４４内に位置付けられる。切欠き部５０は、開口４８から主本体３８の円周の周りに約９０°に配置される。
【００３２】
組み合わされた回転子アセンブリ１２及びフレーム１４は、電気モータ１０の一部として図１−４及び８−９に見ることができる。固定子鉄心アセンブリ５２は、図１及び８にそれらのそれぞれのスロット４６に挿入されて示されており、回転子アセンブリ１２は、第１の軸受２４及び第２の軸受２６がそれらのそれぞれの第１の軸受台座４２及び第２の軸受台座４４に位置付けられるようにフレーム１４に装着されている。
【００３３】
第１の軸受２４は、Ｏリング３２によって第１の軸受台座４２に軽く装着される。第１の軸受２４は、Ｏリング３２によって第１の軸受台座４２内に軽く装着されるだけなので、それは、羽根車２８によってそれが使用中に回転する時に発生されるいずれの半径方向の力も吸収することができる。
【００３４】
第２の軸受２６は、開口４８を通して第１の環状溝３４に注入された第１の接着剤３５によって第２の軸受台座４４に装着される。接着剤結合の結果として、第２の軸受２６は、使用中に羽根車２８によって発生される回転子アセンブリ１２に沿った軸線方向の力に耐えることができる。第２の軸受台座４４は、開口４８を除く第１の環状溝３４の領域で第２の軸受２６の円周の周りに連続面を定める。
【００３５】
第２の軸受２６の第２の環状溝３６は、図３及び４に見られるように第２の軸受台座４４内の切欠き部５０を通して可視である。第２の軸受２６は、仮接着剤３７が第２の軸受台座４４と第２の軸受２６の第２の環状溝３６との両方に接触した状態で切欠き部５０に形成された更に別の接着剤結合を含む。
【００３６】
回転子アセンブリ１２をフレーム１４に装着する全体的に１００で指定する方法は、図１０のブロック図に示されている。本方法は、回転子アセンブリ１２とフレーム１４とを与える初期段階１０２を含む。上記で議論したように、回転子アセンブリ１２は、第２の軸受２６を含み、フレーム１４は、第２の軸受台座４４を含む。第２の軸受台座４４は、開口４８と切欠き部５０を含む。開口４８は、第２の軸受台座４４を通って延びてそれを通る接着剤チャネルを形成し、かつ適切な接着剤注入ノズルを受け入れるような形状及び寸法を有する。切欠き部５０は、回転子アセンブリ１２がフレーム１４に装着された時に第２の軸受２６の第２の環状溝３６を露出する。
【００３７】
本方法は、第２の軸受２６及び特に第２の環状溝３６が切欠き部５０を通して露出されるように第２の軸受２６を第２の軸受台座４４内に位置付ける段階１０４を含む。
【００３８】
第１の接着剤３５は、第１の接着剤３５が第２の軸受２６の第１の環状溝３４に流れ込むように、例えば開口４８に挿入された適切な接着剤注入ノズルを使用して開口４８を通して注入される１０６。第１の接着剤３５は、接着剤の注入が完了した状態で第２の軸受２６と第２の軸受台座４４の間の相対移動を可能にする形態のものである。
【００３９】
現在好ましい実施形態では、使用される第１の接着剤３５は、熱硬化型構造用接着剤であり、かつＨｅｎｋｅｌ  Ｌｏｃｔｉｔｅから入手可能なＬｏｃｔｉｔｅ（登録商標）９４９２として公知の接着剤である。これは、第１の接着剤３５が第２の軸受２６と第２の軸受台座４４の間で第２の軸受２６の第１の環状溝３４に位置付けられ、従って可視ではないので特に有益であると考えられる。第１の接着剤３５を硬化することは、従って、例えばＵＶ硬化方法を使用すると困難であると判明する場合があり、その理由は、ＵＶ光が第１の接着剤３５に到達することができることを保証することが困難であると判明する場合があり、すなわち、第１の接着剤を完全に硬化することが困難であると判明する場合があるからである。熱硬化接着剤を使用することにより、第１の接着剤３５が完全に硬化することを保証し、それによって強力で確実な結合が形成されることを保証することが可能であると考えられる。
【００４０】
第２の接着剤３７は、切欠き部５０の領域で第２の環状溝３６にかつ第２の軸受台座４４に付加される１０８。第２の接着剤３７は、迅速ＵＶ硬化接着剤であり、かつ現在好ましい実施形態ではＨｅｎｋｅｌ  Ｌｏｃｔｉｔｅから入手可能なＬｏｃｔｉｔｅ（登録商標）３５５６として公知の接着剤である。第２の接着剤３７は、３６５ｎｍの波長を有するＵＶ光を５秒の期間にわたって印加することによって硬化される１１０。第２の接着剤３７を硬化する段階１１０に続いて、第１の接着剤３５は、次に、組み合わされた回転子アセンブリ１２及びフレーム１４を少なくとも２０分にわたって８０℃のオーブンに置くことによって硬化される１１２。
【００４１】
第１の接着剤３５は熱硬化される必要があり、これは比較的長い期間かかる場合があるので、回転子アセンブリ１２及びフレーム１４が熱硬化処理中に不整合になる場合があるリスクがあり、実際に、硬化処理が行われるようにオーブンへの構成要素の搬送中に回転子アセンブリ１２及びフレーム１４が不整合になる場合があるリスクがある。この不整合のリスクは、回転子アセンブリ１２とフレーム１４の間に迅速で比較的低強度の結合を形成するための第２の接着剤３７の付加によって軽減することができる。第２の接着剤３７によって形成される結合は、第１の接着剤３５のための硬化処理１１２が完了するまで回転子アセンブリ１２をフレーム１４に望ましい位置に固定するのに十分である。
【００４２】
回転子アセンブリ１２をフレーム１４に装着する方法の第２の実施形態は、図１１のブロック図に示されており、かつ全体的に２００で指定されている。
【００４３】
方法２００の第２の実施形態は、方法１００の第１の実施形態と実質的に同じであるが、第２の接着剤３７を付加する段階１０８の前に第２の軸受２６と第２の軸受台座４４の間の相対移動に影響を及ぼす追加の段階２０２を含む。
【００４４】
これは、第２の軸受２６と第２の軸受台座４４の内面との間の界面に沿って第２の軸受２６の第１の環状溝３４に閉じ込められた第１の接着剤３５を広げるように作用し、それによって結合表面積を増大し、これは、結合強度の増大をもたらすことができる。第２の軸受２６と第２の軸受台座４４の間の相対移動に影響を及ぼすこと２０２により、フレーム１４に対する回転子アセンブリ１２の正しい位置合わせも達成することができる。現在好ましい実施形態では、回転子アセンブリ１２は、フレーム１４に対して移動されるが、回転子アセンブリ１２に対してフレーム１４を移動することが同じ結果を達成することができることは認められるであろう。図９に最も明確に見ることができるように、第１の環状溝３４は、組み立て中の第２の軸受２６と第２の軸受台座４４の間の相対移動の結果として開口４８と不整合である。
【符号の説明】
【００４５】
１０  電気モータ
２６  第２の軸受
３６  第２の環状溝
３７  第２の接着剤、仮接着剤
４４  軸受台座
【図１】
2021515522.tif 000003
【図２】
2021515522.tif 000004
【図３】
2021515522.tif 000005
【図４】
2021515522.tif 000006
【図５】
2021515522.tif 000007
【図６】
2021515522.tif 000008
【図７】
2021515522.tif 000009
【図８】
2021515522.tif 000010
【図９】
2021515522.tif 000011
【図１０】
2021515522.tif 000012
【図１１】
2021515522.tif 000013
【国際調査報告】
2021515522.tif 000014
2021515522.tif 000015